(57)【要約】  【課題】  不必要な電力の消費を極力低減させることができるとともに、必要なときに、速やかに複写機能やプリンタ機能を使用することが可能な複合画像処理装置を提供する。  【解決手段】  複数の画像処理モードに基づいて分割された機能ブロック毎に給電制御する給電制御手段２１と、所定の省電力モード移行条件の成立時に前記給電制御手段２１による通常給電を停止または制限し、所定の省電力モード復帰条件の成立時に前記給電制御手段２１による通常給電を再開する省電力制御手段２２を備えて構成される複合画像処理装置であって、前記省電力制御手段２２は、前記省電力モード復帰条件の成立時に、前記給電制御手段２１により全ての機能ブロックに対して通常給電するとともに、その後選択された画像処理モードに基づいて必要な機能ブロックにのみ通常給電するように制御する。【選択図】  図１
2007180989.tif 000002
【特許請求の範囲】
【請求項１】
複数の画像処理モードに基づいて分割された機能ブロック毎に給電制御する給電制御手段と、所定の省電力モード移行条件の成立時に前記給電制御手段による通常給電を停止または制限し、所定の省電力モード復帰条件の成立時に前記給電制御手段による通常給電を再開する省電力制御手段を備えて構成される複合画像処理装置であって、
前記省電力制御手段は、前記省電力モード復帰条件の成立時に、前記給電制御手段により全ての機能ブロックに対して通常給電するとともに、その後選択された画像処理モードに基づいて必要な機能ブロックにのみ通常給電するように制御する複合画像処理装置。
【請求項２】
前記省電力制御手段は、前記省電力モード復帰条件の成立時に、前記給電制御手段により全ての機能ブロックに対して通常給電するとともに、所定時間内に画像処理モードが選択されないときに再度省電力モードに移行するように制御する請求項１記載の複合画像処理装置。
【請求項３】
前記機能ブロックに操作部を含み、前記省電力制御手段は、前記省電力モード復帰条件の成立時に、前記操作部に画像処理モードの何れかを選択する操作案内情報を出力させる請求項２記載の複合画像処理装置。
【発明の詳細な説明】
【技術分野】
【０００１】
本発明は、複数の画像処理モードに基づいて分割された機能ブロック毎に給電制御する給電制御手段と、所定の省電力モード移行条件の成立時に前記給電制御手段による通常給電を停止または制限し、所定の省電力モード復帰条件の成立時に前記給電制御手段による通常給電を再開する省電力制御手段を備えて構成される複合画像処理装置に関する。
【背景技術】
【０００２】
近年、複写機能や、ファクシミリ機能、スキャナ機能、プリンタ機能等を備えた複合画像処理装置が普及している。
【０００３】
前記複合画像処理装置は、複数の画像処理モードに基づいて分割された機能ブロック毎に給電制御する給電制御手段と、所定の省電力モード移行条件の成立時に前記給電制御手段による通常給電を停止または制限し、所定の省電力モード復帰条件の成立時に前記給電制御手段による通常給電を再開する省電力制御手段を備えることによって、不必要な電力の消費を極力低減させる試みが施されている。
【０００４】
また、更なる低消費電力化のために、特許文献１では、機能毎に設けたコピーボタン、ドキュメントボックスボタン、ファックスボタン、プリンターボタン、スキャナーボタンを選択して押下しないと省エネ状態から復帰しないようにするとともに、選択された機能を作動させるために必要な部分だけの電源復帰を行う技術が提案されている。
【０００５】
一方で、前記複合画像処理装置は、例えば、複写機能やプリンタ機能として記録紙上に画像を形成する場合には、感光体から記録紙上に転写されたトナー画像を、所定の温度に加熱された定着ローラによって加熱溶融することで、記録紙上に定着させている。そして、前記定着ローラを所定の温度に加熱するためには、通常、前記定着ローラを加熱するための加熱ヒータ等に電源が投入されてから、ある程度の時間が必要とされる。
【０００６】
【特許文献１】特開２００４−２２２２３４号公報
【発明の開示】
【発明が解決しようとする課題】
【０００７】
上述の従来技術では、例えば、複写機能やプリンタ機能の使用直前に、複写機能やプリンタ機能を作動させるために必要な部分、つまり、定着ローラを加熱するための加熱ヒータへ電源を供給することとなる。このため、ユーザは、複写機能やプリンタ機能を使用する際に、その処理が開始されるまでの時間、つまり、前記定着ローラを所定の温度に加熱する時間をも待機して待つ必要が生じ、必要以上に時間を浪費してしまうことが問題となっていた。換言すれば、複写をしようとして原稿台に原稿を置いただけでは省エネ状態から復帰するということが行われず、何れかの機能を選択して初めて省エネモードから復帰するために、操作に不慣れな場合は特に複写開始まで時間がかかり、業務効率の低下を引き起こすという問題があった。
【０００８】
本発明は、上述の従来欠点に鑑み、不必要な電力の消費を極力低減させることができるとともに、必要なときに、速やかに複写機能やプリンタ機能を使用することが可能な複合画像処理装置を提供する点にある。
【課題を解決するための手段】
【０００９】
上述の目的を達成するため、本発明による複合画像処理装置の第一の特徴構成は、特許請求の範囲の書類の請求項１に記載した通り、複数の画像処理モードに基づいて分割された機能ブロック毎に給電制御する給電制御手段と、所定の省電力モード移行条件の成立時に前記給電制御手段による通常給電を停止または制限し、所定の省電力モード復帰条件の成立時に前記給電制御手段による通常給電を再開する省電力制御手段を備えて構成される複合画像処理装置であって、前記省電力制御手段は、前記省電力モード復帰条件の成立時に、前記給電制御手段により全ての機能ブロックに対して通常給電するとともに、その後選択された画像処理モードに基づいて必要な機能ブロックにのみ通常給電するように制御する点にある。
【００１０】
上述の構成によれば、前記省電力制御手段が、省電力モード復帰条件の成立時に、複数の画像処理モードに基づいて分割された機能ブロック毎に給電制御する給電制御手段により全ての機能ブロックに対して通常の動作を可能とする通常給電を行なうため、このときに、定着ローラを加熱するための加熱ヒータへも給電することが可能となる。つまり、省電力モード復帰条件の成立と同時に、前記定着ローラの加熱を開始することができ、その後、当該複合画像処理装置により実行されることとなる画像処理モードの開始時までに、前記定着ローラを十分に加熱しておくことができる。また、前記省電力制御手段は、前記全ての機能ブロックに対して通常給電した後に選択された画像処理モードに基づいて必要な機能ブロックにのみ通常給電するため、不必要に電力が消費されることを防止することができる。
【００１１】
同第二の特徴構成は、同請求項２に記載した通り、上述の第一の特徴構成に加え、前記省電力制御手段は、前記省電力モード復帰条件の成立時に、前記給電制御手段により全ての機能ブロックに対して通常給電するとともに、所定時間内に画像処理モードが選択されないときに再度省電力モードに移行するように制御する点にあり、不必要に電力が消費されることを防止することができる。
【００１２】
同第三の特徴構成は、同請求項３に記載した通り、上述の第二の特徴構成に加え、前記機能ブロックに操作部を含み、前記省電力制御手段は、前記省電力モード復帰条件の成立時に、前記操作部に画像処理モードの何れかを選択する操作案内情報を出力させる点にある。
【発明の効果】
【００１３】
以上説明した通り、本発明によれば、不必要な電力の消費を極力低減させることができるとともに、必要なときに、速やかに複写機能やプリンタ機能を使用することが可能な複合画像処理装置を提供することができるようになった。
【発明を実施するための最良の形態】
【００１４】
以下、本発明による複合画像処理装置を複写機能や、ファクシミリ機能、スキャナ機能、プリンタ機能を備えたデジタル複合機１０に適用した実施形態について説明する。図１に示すように、前記デジタル複合機１０は、インターフェース部１１を介してパーソナルコンピュータ１２に接続されるとともに、電話回線１３を介して他の複合機やファクシミリ装置（ＦＡＸ）１４に接続されている。
【００１５】
また、前記デジタル複合機１０は、原稿画像を画像データとして取得するスキャナ部１５と、前記スキャナ部１５から取得された画像データや前記インターフェース部１１を介して前記パーソナルコンピュータ１２から送信されてくる画像データ、前記電話回線１３を介して他の複合機やファクシミリ装置（ＦＡＸ）１４から送信されてくる画像データ等を記憶する画像メモリ１６と、所定のプリントデータに基づいて出力用紙上に画像を形成して出力するプリンタ部１７と、他の複合機やファクシミリ装置（ＦＡＸ）１４との間で所定の画像データを送受信するファクシミリ通信部１８と、当該デジタル複合機１０の機能等をメニュー設定するとともに、当該デジタル複合機１０へのメニュー設定状態やその動作状態を表示する操作表示部１９と、前記各機能ブロックを統括制御する制御部２０を備えて構成されている。尚、前記制御部２０は、単一または複数のＣＰＵや、その動作プログラムが格納されたＲＯＭ、ワーキングエリアに使用されるＲＡＭ等を備えたマイクロコンピュータである。
【００１６】
前記スキャナ部１５は、図示しない原稿載置部にセットされた原稿を読み取り、ライン単位で画像信号に変換し、この画像信号に所定の信号処理（レベル補正、γ補正、Ａ／Ｄ変換等）を施した画像データを順次取得することによって、スキャナ機能を発揮するもので、原稿が載置される原稿トレイ（図示せず）と、前記原稿トレイに載置された原稿を給紙する原稿給紙部（図示せず）と、前記原稿給紙部により給紙された原稿の画像を読み取るＣＣＤリニアセンサ（図示せず）等を備えて構成されている。
【００１７】
前記プリンタ部１７は、例えば、レーザプリンタからなり、画像データから変換されたプリントデータに基づいて出力用紙上に画像を形成して出力するといったプリンタ機能（又はコピー機能）を発揮するもので、前記プリントデータに基づいて感光体にトナー画像を形成するトナー画像形成部（不図示）と、前記形成されたトナー画像が転写される記録紙を搬送する搬送部（不図示）と、前記転写された記録紙上のトナー像を内部に挿入設置された加熱ヒータ（不図示）と温度センサ（不図示）により所定温度に加熱された定着ローラにより加熱溶融して定着する定着部８（不図示）等を備えて構成されている。
【００１８】
前記ファクシミリ通信部１８は、画像データの送受信処理を行うことによりファクシミリ機能を発揮するもので、ファクシミリ送信すべきデータ（画像データ）の圧縮及び符号化を行うとともに、ファクシミリ受信したデータ（画像データ）の伸長及び復号化を行う符号化／復号化部（不図示）と、圧縮／符号化された画像データの音声信号への変調及びファクシミリ受信した信号（音声信号）の画像データへの復調を行う変復調部（不図示）と、ＮＣＵ（Network Control Unit）に相当し、送受信相手である他の複合機やファクシミリ装置（ＦＡＸ）１４との電話回線１３の接続を制御する網制御部（不図示）等を備えて構成されている。
【００１９】
前記操作表示部１９は、図２に示すように、種々の機能を設定する複数のメニュー設定キーが、ソフトウェアキーの形態で表示されるタッチパネル式のカラー表示部３０と、それぞれに予め特定の機能が割り付けられたハードウェアキー３４を備えて構成されている。
【００２０】
前記タッチパネル式のカラー表示部３０は、図３に示すように、その表示部３１に所定の画面を表示する表示手段としてのカラー液晶表示装置３２と、前記カラー液晶表示装置３２の表示部３１上に配置され、ユーザによるその操作位置を検出するタッチパネル３３を備えて構成されている。
【００２１】
前記ハードウェアキー３４は、複写枚数または画像データの送信先等を設定する数値入力キー３７、ソフトウェアキーの形態で表示されている各種メニュー設定キーをハードウェアキーにより選択可能とするカーソルキー３９、前記各種メニュー設定キーによりメニュー設定された画像処理メニューを確定させるとともに、前記画像処理メニューに基づく画像処理動作をスタートさせるスタートキー３８、一旦入力した画像処理メニューをリセットするリセットキー４０、実行中の画像処理メニューに基づく画像処理動作を停止させる停止指示手段としてのクリア／ストップキー４１等により構成されている。
【００２２】
以下、前記制御部２０の動作について、図４、図５、図６、図７、図８に示すフローチャートに基づいて説明する。当該デジタル複合機１０が起動されると、前記制御部２０は、前記タッチパネル式のカラー表示部３０に、例えば、図９に示すような、複写機能や、ファクシミリ機能、スキャナ機能、プリント機能の何れかを選択する機能選択画面を、後述する省電力制御手段２２により表示させる（ＳＡ１）。
【００２３】
前記機能選択画面で、複写機能を選択するソフトウェアキー５０としての複写選択キー５０ａがユーザにより操作されると（ＳＡ２）、前記制御部２０は、前記タッチパネル式のカラー表示部３０に、例えば、図１０（ａ）に示すような、複写機能に対する詳細機能を設定するための複写詳細設定画面を表示させる（ＳＡ３）。
【００２４】
前記複写詳細設定画面では、前記プリンタ部１７により画像が形成される出力用紙の用紙サイズやその方向（印刷の向き）、その給紙方法の設定を行う基本設定キー群５１ａ、前記画像の複写倍率や画像の複写濃度、カラー複写または白黒複写を設定するイメージ設定キー群５１ｂ、前記出力用紙が排出されるときの前記出力用紙の振り分け形態を設定する排紙設定キー群５１ｃ等、機能毎にその詳細条件をメニュー設定する複数のソフトウェアキー５１としてのメニュー設定キー５１と、複写枚数が表示される。
【００２５】
前記各ソフトウェアキー５１のそれぞれは、それぞれが各機能の詳細条件としてメニュー設定されていることがユーザによって認識可能なように、メニュー設定されている詳細条件としてのソフトウェアキー５１が黒地に白文字で、また、詳細条件としてはメニュー設定されていないソフトウェアキー５１が白地に黒文字で表示されている。
【００２６】
例えば、前記図１０（ａ）の例では、出力用紙の用紙サイズやその方向（印刷の向き）としての詳細条件がＡ４サイズで縦方向、その給紙方法の設定が自動給紙、画像の複写倍率や画像の複写濃度が自動倍率と自動濃度、カラー複写または白黒複写の設定がカラー複写、出力用紙の振り分け形態の設定がソートなしにメニュー設定されていることを示し、また、これらの組み合わせと複写枚数とが複写機能における画像処理メニューのデフォルト設定として表示されている。
【００２７】
また、前記各ソフトウェアキー５１のそれぞれは、ユーザによって操作されることにより、操作された白地に黒文字のソフトウェアキー５１が、黒地に白文字のソフトウェアキー５１に切り替わるとともに、操作された白地に黒文字のソフトウェアキー５１と同じ詳細条件分類で黒地に白文字であったソフトウェアキー５１が、白地に黒文字のソフトウェアキー５１切り換えられる。
【００２８】
例えば、ユーザによる用紙サイズやその方向のメニュー設定において、Ｂ５サイズで縦方向を選択するためのソフトウェアキー５１ａ２が操作されたときには、例えば、図１０（ｂ）に示すように、それまで、Ａ４サイズで縦方向が選択されていたことを示す黒地に白文字のＡ４サイズで縦方向を選択するためのソフトウェアキー５１ａ１が、Ａ４サイズで縦方向が選択されていないことを示す白地で黒文字に切り換えられるとともに、それまで、Ｂ５サイズで縦方向が選択されていなかったことを示す白地に黒文字のＢ５サイズで縦方向を選択するためのソフトウェアキー５１ａ２が、Ｂ５サイズで縦方向が選択されたことを示す黒地に白文字に切り換えられる。
【００２９】
そして、前記デフォルト設定であった画像処理メニューは、出力用紙の用紙サイズやその方向（印刷の向き）としての詳細条件がＢ５サイズで縦方向、その給紙方法の設定が自動給紙、画像の複写倍率や画像の複写濃度が自動倍率と自動濃度、カラー複写または白黒複写の設定がカラー複写、出力用紙の振り分け形態の設定がソートなしといった新たな画像処理メニューに編集される。
【００３０】
尚、前記複写枚数は、ハードウェアキーとしての前記数値入力キー３７等により設定することができる。
【００３１】
つまり、黒地に白文字のソフトウェアキー５１として表示されている一群の詳細条件の組み合わせと、前記設定された複写枚数とが、ユーザにより設定された画像処理メニューとして編集されるように構成されている。
【００３２】
このように、ユーザにより詳細条件がメニュー設定され、前記スタートキー３８が操作されると（ＳＡ４）、前記制御部２０は、前記画像処理メニューを確定するとともに（ＳＡ５）、当該デジタル複合機１０に前記画像処理メニューに基づいた複写動作を実行させる（ＳＡ６）。
【００３３】
即ち、前記制御部２０は、前記スキャナ部１５により、前記原稿載置部にセットされた原稿を読み取り、ライン単位で画像信号に変換し、この画像信号に所定の信号処理（レベル補正、γ補正、Ａ／Ｄ変換等）を施した画像データを順次取得することによって、前記画像データを順次前記画像メモリ１６に記憶させる。そして、前記制御部２０は、順次前記画像メモリ１６に記憶される画像データが所定単位の画像データ、例えば、原稿１枚分の画像データとして記憶されると、前記画像メモリ１６に記憶された画像データを前記画像処理メニューに基づいてプリントデータに変換し、前記プリンタ部１７により前記プリントデータに基づいた画像を出力用紙上に形成して出力する。
【００３４】
前記機能選択画面で、ファクシミリ機能における送信機能を選択するソフトウェアキー５０としてのファクシミリ選択キー５０ｂがユーザにより操作されると（ＳＡ７）、前記制御部２０は、前記タッチパネル式のカラー表示部３０に、ファクシミリ機能に対する詳細機能を設定するためのファクシミリ詳細設定画面を表示させる（ＳＡ８）。
【００３５】
前記ファクシミリ詳細設定画面では、例えば、予め登録されている複数の送信先電話番号が表示され、前記登録されている送信先電話番号から希望の送信先電話番号を選択することが可能となっている。また、原稿の読取解像度や、カラー取得または白黒取得の設定等の詳細条件をメニュー設定することが可能となっている。そして、ユーザによりメニュー設定されるこれらの組み合わせがファクシミリ機能における画像処理メニューとして編集される。
【００３６】
ユーザにより、予め登録されている送信先電話番号から任意の送信先電話番号が選択されるか、または、前記数値入力キーを介して送信先電話番号が入力され、前記スタートキー３８が操作されると（ＳＡ９）、前記制御部２０は、前記画像処理メニューを確定するとともに（ＳＡ１０）、当該デジタル複合機１０に前記画像処理メニューに基づいたファクシミリ送信動作を実行させる（ＳＡ１１）。
【００３７】
即ち、前記制御部２０は、前記ファクシミリ通信部１８により、送信先ＦＡＸ１４と前記電話回線１３を介して回線接続するとともに、前記スキャナ部１５により、前記原稿載置部にセットされた原稿を読み取り、ライン単位で画像信号に変換し、この画像信号に所定の信号処理（レベル補正、γ補正、Ａ／Ｄ変換等）を施した画像データを順次取得することによって、前記画像データを順次前記画像メモリ１６に記憶させる。そして、前記制御部２０は、前記ファクシミリ通信部１８により、順次前記画像メモリ１６に記憶される画像データを前記電話回線１３を介して前記送信先ＦＡＸ１４に送信する。尚、前記スキャナ部１５により読み取られた画像データを前記送信先ＦＡＸ１４へ全て送信すると、前記ファクシミリ通信部１８により、前記電話回線１３を介した前記送信先ＦＡＸ１４との回線接続を解消する。
【００３８】
前記機能選択画面で、スキャナ機能を選択するソフトウェアキー５０としてのスキャナ選択キー５０ｃがユーザにより操作されると（ＳＡ１２）、前記制御部２０は、前記タッチパネル式のカラー表示部３０に、スキャナ機能に対する詳細機能を設定するためのスキャナ詳細設定画面を表示させる（ＳＡ１３）。
【００３９】
前記スキャナ詳細設定画面では、原稿の読取解像度や、カラー取得または白黒取得の設定等の詳細条件をメニュー設定することが可能となっている。そして、ユーザによりメニュー設定されるこれらの組み合わせがスキャナ機能における画像処理メニューとして編集される。
【００４０】
ユーザにより詳細条件がメニュー設定され、前記スタートキー３８が操作されると（ＳＡ１４）、前記制御部２０は、前記画像処理メニューを確定するとともに（ＳＡ１５）、当該デジタル複合機１０に前記画像処理メニューに基づいたスキャナ動作を実行させる（ＳＡ１６）。
【００４１】
即ち、前記制御部２０は、前記スキャナ部１５により、前記原稿載置部にセットされた原稿を読み取り、ライン単位で画像信号に変換し、この画像信号に所定の信号処理（レベル補正、γ補正、Ａ／Ｄ変換等）を施した画像データを順次取得することによって、前記画像データを順次前記画像メモリ１６に記憶させる。そして、前記制御部２０は、前記タッチパネル式のカラー表示部３０に、前記画像メモリ１６に記憶した画像データに対するファイル名を設定するファイル名設定画面を表示させる。
【００４２】
ユーザにより、ファイル名が設定され、例えば、前記ファイル名設定画面に表示されるソフトウェアキーとしての確定キーが操作されると、前記画像メモリ１６に記憶した画像データに前記ファイル名を対応付けて記憶する。
【００４３】
前記機能選択画面で、プリンタ機能を選択するソフトウェアキー５０としてのプリンタ選択キー５０ｄがユーザにより操作されると（ＳＡ１７）、前記制御部２０は、前記タッチパネル式のカラー表示部３０に、出力用紙上に画像を形成して出力するファイルを選択するファイル選択画面を表示させる（ＳＡ１８）。
【００４４】
前記ファイル選択画面では、例えば、前記スキャナ機能により前記画像メモリ１６に記憶された各画像データに対するファイル名や、前記ファクシミリ通信部１８により前記画像メモリ１６に記憶された各画像データに対するファイル名が一覧表示され、任意のファイル名を選択することが可能となっている。
【００４５】
ユーザにより、任意のファイル名が選択され、例えば、前記ファイル選択画面に表示されるソフトウェアキーとしての確定キーが操作されると（ＳＡ１９）、前記制御部２０は、前記タッチパネル式のカラー表示部３０に、前記ファイル名に対応したプリンタ機能に対する詳細機能を設定するためのプリンタ詳細設定画面を表示させる（ＳＡ２０）。
【００４６】
前記プリンタ詳細設定画面では、例えば、前記図１０（ａ）に示した、複写詳細設定画面と同様の画面が表示される。つまり、前記プリンタ詳細設定画面は、ユーザにより設定されたファイル名に対応する前記画像メモリ１６に記憶された画像データに対する複写詳細設定画面として表示される。
【００４７】
前記複写機能が選択されたときと同様にして、ユーザにより詳細条件がメニュー設定され、前記スタートキー３８が操作されると（ＳＡ２１）、前記制御部２０は、前記画像処理メニューを確定するとともに（ＳＡ２２）、当該デジタル複合機１０に前記画像処理メニューに基づいたプリント動作を実行させる（ＳＡ２３）。
【００４８】
即ち、前記制御部２０は、前記画像メモリ１６に記憶されている、ユーザにより設定されたファイル名に対応する画像データの前記画像処理メニューに基づいたプリントデータへの変換を実行するとともに、前記プリンタ部１７により前記プリントデータに基づいた画像を出力用紙上に形成して出力する。
【００４９】
図１に戻り、前記デジタル複合機１０は、複数の画像処理モードに基づいて分割された機能ブロック、例えば、前記スキャナ部１５や、前記画像メモリ部１６、前記プリンタ部１７、前記ファクシミリ通信部１８、前記操作表示部１９、前記インターフェース部１１等といった機能ブロック毎に給電制御する給電制御手段２１を備え、前記各機能ブロックは、前記給電制御手段２１を介して電源２３から電力が供給されるように構成されている。
【００５０】
そして、前記給電制御手段２１は、前記スキャナ部１５に給電制御するスキャナ給電スイッチＳＷ１と、前記画像メモリ部１６に給電制御するメモリ給電スイッチＳＷ２と、前記プリンタ部１７に給電制御するプリンタ給電スイッチＳＷ３と、前記ファクシミリ通信部１８に給電制御するファクシミリ給電スイッチＳＷ４と、前記操作表示部１９に給電制御する操作表示給電スイッチＳＷ５と、前記インターフェース部１１に給電制御するインターフェース給電スイッチＳＷ６等から構成されている。
【００５１】
ここに、各給電スイッチは、各機能ブロックに対する通常給電を停止または制限する省電力モードへ移行するか通常の動作を実行可能な通常給電を行なう通常モードに復帰するか否かの制御状態を切り替える機能を模擬的に示すものであり、例えば、前記プリンタ部１７に給電制御するプリンタ給電スイッチＳＷ３がオフされる場合には、当該機能ブロックへの給電が完全に停止される場合のみならず、定着装置のヒータへの供給電力が通常モードより制限される場合も含まれるものとして記載している。
【００５２】
また、前記制御部２０は、所定の省電力モード移行条件の成立時に前記給電制御手段２１による通常給電を停止または制限し、所定の省電力モード復帰条件の成立時に前記給電制御手段２１による通常給電を再開する省電力制御手段２２を備えている。
【００５３】
尚、前記デジタル複合機１０には、前記所定の省電力モード復帰条件を検出するための各種センサＡｓが備えられ、前記各種センサＡｓからの入力信号に基づいて、前記制御部２０が前記給電制御手段２１による給電を再開させるように構成されている。
【００５４】
前記各種センサＡｓは、例えば、前記ハードウェアキーとしてのスタートキー３８や、前記原稿トレイに設置される原稿の有無を検出する原稿検出センサ（不図示）、前記パーソナルコンピュータ１２から当該デジタル複合機１０へ画像データを送信する旨のデータ通信開始信号を検出するデータ通信開始信号検出手段（不図示）、前記ＦＡＸ１４から当該デジタル複合機１０へファクシミリ送信する旨のファクシミリ送信開始信号を検出するファクシミリ送信開始信号検出手段（不図示）等として備えられている。
【００５５】
そして、前記制御部２０及び前記各種センサＡｓには、常時電力が供給されている。
【００５６】
以下、前記省電力制御手段２２の動作について、図１１のフローチャートに基づいて説明する。所定の省電力モード移行条件が成立すると、前記省電力制御手段２２は、前記給電制御手段２１による給電を停止する。
【００５７】
具体的には、前記スキャナ部１５や、前記画像メモリ部１６、前記プリンタ部１７、前記ファクシミリ通信部１８、前記操作表示部１９、前記インターフェース部１１等の各機能ブロックの何れもが所定の動作を停止した状態で、且つ、前記操作表示部１９を介したユーザからの入力操作が実行されずかつ前記各種センサＡｓが未検知である時間が、連続して所定の省エネモード開始時間Ｅｔｈ以上経過すると（ＳＢ１、ＳＢ２、ＳＢ３）、前記省電力制御手段２２が、前記スキャナ給電スイッチＳＷ１と、前記メモリ給電スイッチＳＷ２と、前記プリンタ給電スイッチＳＷ３と、前記ファクシミリ給電スイッチＳＷ４と、前記操作表示給電スイッチＳＷ５と、前記インターフェース給電スイッチＳＷ６をそれぞれ開放させることで、前記スキャナ部１５と、前記画像メモリ部１６と、前記プリンタ部１７と、前記ファクシミリ通信部１８と、前記操作表示部１９と、前記インターフェース部１１への給電をそれぞれ停止または制限する（ＳＢ４）。尚、図示しない定着装置の定着ヒータには定着ローラの表面の温度が通常動作時は１８０度に維持可能なように通電制御（通常通電モード）されているが、省エネモード時は定着ローラの表面の温度が１２０度に維持されるように定着ヒータは通電制御される（省エネ通電モード）。
【００５８】
前記各種センサＡｓの何れかにより省電力モード復帰条件を検出すると（ＳＢ５）、前記省電力制御手段２２は、前記給電制御手段２１により全ての機能ブロックに対して通常給電を開始する（ＳＢ６）。
【００５９】
具体的には、前記スタートキー３８による当該スタートキー３８への操作や、原稿検出センサによる前記原稿トレイへの原稿の設置、前記データ通信開始信号検出手段によるデータ通信開始信号の受信、前記ファクシミリ送信開始信号検出手段によるファクシミリ送信開始信号の受信の何れかが検出されると、前記省電力制御手段２２が、前記スキャナ給電スイッチＳＷ１と、前記メモリ給電スイッチＳＷ２と、前記プリンタ給電スイッチＳＷ３と、前記ファクシミリ給電スイッチＳＷ４と、前記操作表示給電スイッチＳＷ５と、前記インターフェース給電スイッチＳＷ６をオンさせることで、前記スキャナ部１５と、前記画像メモリ部１６と、前記プリンタ部１７と、前記ファクシミリ通信部１８と、前記操作表示部１９と、前記インターフェース部１１への給電を開始する。この際、用紙へのトナーの定着処理が可能なように定着ローラの表面温度が１８０度に維持されるように定着ヒータは通電制御される。
【００６０】
このとき、前記省電力制御手段２２は、前記タッチパネル式のカラー表示部３０に、前記図９に示したような、複写機能や、ファクシミリ機能、スキャナ機能、プリント機能等の画像処理モードの何れかを選択する操作案内情報としての前記機能選択画面等を表示させ（ＳＢ７）、ユーザにより何れかの画像処理モードが選択されると、選択された画像処理モードに基づいて必要な機能ブロックにのみ通常給電を継続する（ＳＢ８）。この際、印刷処理が必要な機能である複写機能、プリント機能などが選択された場合には、用紙へのトナーの定着処理が可能なように定着ローラの表面温度が１８０度に維持されるように定着ヒータは通電制御され続け、印刷処理が必要の無いファクシミリ機能が選択された場合には、定着ヒータへの通電制御が変更され、定着ローラの表面温度が１２０度に維持されるように定着ヒータは通電制御される。
【００６１】
詳述すると、前記機能選択画面で、前記複写機能を選択するための複写機能選択キー５０ａが操作されると、前記省電力制御手段２２は、前記複写機能に必要な機能ブロックとして、前記スキャナ部１５と、前記画像メモリ部１６と、前記プリンタ部１７と、前記操作表示部１９への給電を維持するために、前記スキャナ給電スイッチＳＷ１と、前記メモリ給電スイッチＳＷ２と、前記プリンタ給電スイッチＳＷ３と、前記操作表示給電スイッチＳＷ５のオン状態をそれぞれ維持するとともに、前記複写機能に不必要な機能ブロックとして、前記ファクシミリ通信部１８と、前記インターフェース部１１への給電を停止または制限するために、前記ファクシミリ給電スイッチＳＷ４と、前記インターフェース給電スイッチＳＷ６をそれぞれオフさせる。この際、用紙へのトナーの定着処理が可能なように定着ローラの表面温度が１８０度に維持されるように定着ヒータは通電制御され続ける。
【００６２】
前記機能選択画面で、前記ファクシミリ機能における送信機能を選択するためのファクシミリ送信機能選択キー５０ｂが操作されると、前記省電力制御手段２２は、前記ファクシミリ送信機能に必要な機能ブロックとして、前記スキャナ部１５と、前記画像メモリ部１６と、前記ファクシミリ通信部１８と、前記操作表示部１９への給電を維持するために、前記スキャナ給電スイッチＳＷ１と、前記メモリ給電スイッチＳＷ２と、前記ファクシミリ給電スイッチＳＷ４と、前記操作表示給電スイッチＳＷ５のオン状態をそれぞれ維持するとともに、前記ファクシミリ送信機能に不必要な機能ブロックとして、前記プリンタ部１７と、前記インターフェース部１１への給電を停止または制限するために、前記プリンタ給電スイッチＳＷ３と、前記インターフェース給電スイッチＳＷ６をそれぞれオフさせる。この際、用紙へのトナー定着処理が行なわれないので、定着ヒータへの通電制御が変更され、定着ローラの表面温度が１２０度に維持されるように定着ヒータは通電制御される。
【００６３】
前記機能選択画面で、前記スキャナ機能を選択するためのスキャナ機能選択キー５０ｃが操作されると、前記省電力制御手段２２は、前記スキャナ機能に必要な機能ブロックとして、前記スキャナ部１５と、前記画像メモリ部１６と、前記操作表示部１９への給電を維持するために、前記スキャナ給電スイッチＳＷ１と、前記メモリ給電スイッチＳＷ２と、前記操作表示給電スイッチＳＷ５のオン状態をそれぞれ維持するとともに、前記スキャナ機能に不必要な機能ブロックとして、前記プリンタ部１７と、前記ファクシミリ通信部１８と、前記インターフェース部１１への給電を停止または制限するために、前記プリンタ給電スイッチＳＷ３と、前記ファクシミリ給電スイッチＳＷ４と、前記インターフェース給電スイッチＳＷ６をそれぞれオフさせる。この際、用紙へのトナー定着処理が行なわれないので、定着ヒータへの通電制御が変更され、定着ローラの表面温度が１２０度に維持されるように定着ヒータは通電制御される。
【００６４】
前記機能選択画面で、前記プリント機能を選択するためのプリント機能選択キー５０ｄが操作されると、前記省電力制御手段２２は、前記プリント機能に必要な機能ブロックとして、前記画像メモリ部１６と、前記プリンタ部１７と、前記操作表示部１９への給電を維持するために、前記メモリ給電スイッチＳＷ２と、前記プリンタ給電スイッチＳＷ３と、前記操作表示給電スイッチＳＷ５のオン状態をそれぞれ維持するとともに、前記プリント機能に不必要な機能ブロックとして、前記スキャナ部１５と、前記ファクシミリ通信部１８と、前記インターフェース部１１への給電を停止または制限するために、前記スキャナ給電スイッチＳＷ１と、前記ファクシミリ給電スイッチＳＷ４と、前記インターフェース給電スイッチＳＷ６をそれぞれオフさせる。この際、用紙へのトナーの定着処理が可能なように定着ローラの表面温度が１８０度に維持されるように定着ヒータは通電制御され続ける。
【００６５】
尚、前記制御部２０は、前記省電力制御手段２２が、前記データ通信開始信号検出手段によりデータ通信開始信号を検出していたときには、その後に前記パーソナルコンピュータ１２から送信されてくる画像データに基づいた所定の動作、つまり、プリント機能を当該デジタル複合機１０に実行させる。また、前記ファクシミリ送信開始信号検出手段によるファクシミリ送信開始信号を検出していたときには、その後に前記ＦＡＸ１４から送信されてくる画像データに基づいた所定の動作、つまり、ファクシミリ機能における受信機能を当該デジタル複合機１０に実行させる。この際、用紙へのトナーの定着処理が可能なように定着ローラの表面温度が１８０度に維持されるように定着ヒータは通電制御され続ける。そして、この間は、たとえ、ユーザにより、前記各選択キー５０ａ、５０ｂ、５０ｃ、５０ｄの何れかが操作されたとしても、前記省電力制御手段２２は、上述したような不必要な機能ブロックへの給電の停止または制限を留保するように構成されている。
【００６６】
つまり、前記デジタル複合機１０は、前記省電力制御手段２２が、省電力モード復帰条件の成立時に、前記給電制御手段２１により全ての機能ブロックに対して通常給電するように構成されている。即ち、その後、当該デジタル複合機１０により実行されることとなる画像処理モードとしての複写機能やプリント機能の開始時までに、前記定着ローラを十分に加熱しておくことができるように構成されている。
【００６７】
また、前記デジタル複合機１０は、前記省電力制御手段が、前記全ての機能ブロックに対して通常給電した後に選択された画像処理モードに基づいて必要な機能ブロックにのみ通常給電するように構成されている。即ち、不必要な電力が消費されることを防止するように構成されている。
【００６８】
上述した実施形態は、本発明の一例に過ぎず、各機能ブロックの具体的な構成は本発明の作用効果を奏する範囲において適宜変更設計できることはいうまでもない。
【図面の簡単な説明】
【００６９】
【図１】デジタル複合機の説明図
【図２】操作表示部の説明図
【図３】タッチパネル式のカラー表示部の説明図
【図４】制御部の動作を説明するためのフローチャート
【図５】制御部の動作を説明するためのフローチャート
【図６】制御部の動作を説明するためのフローチャート
【図７】制御部の動作を説明するためのフローチャート
【図８】制御部の動作を説明するためのフローチャート
【図９】機能選択画面の説明図
【図１０】複写詳細設定画面の説明図であり、（ａ）は画像処理メニューのデフォルト設定の例、（ｂ）はデフォルト設定から変更された画像処理メニューの例
【図１１】省電力制御手段の動作を説明するためのフローチャート
【符号の説明】
【００７０】
１０：デジタル複合機
１１：インターフェース部
１２：パーソナルコンピュータ
１３：電話回線
１４：ＦＡＸ
１５：スキャナ部
１６：画像メモリ
１７：プリンタ部
１８：ファクシミリ通信部
１９：操作表示部
２０：制御部
２１：給電制御手段
２２：省電力制御手段
２３：電源
【図１】
2007180989.tif 000003
【図２】
2007180989.tif 000004
【図３】
2007180989.tif 000005
【図４】
2007180989.tif 000006
【図５】
2007180989.tif 000007
【図６】
2007180989.tif 000008
【図７】
2007180989.tif 000009
【図８】
2007180989.tif 000010
【図９】
2007180989.tif 000011
【図１１】
2007180989.tif 000012
【図１０】
2007180989.tif 000013